(57)【要約】【課題】移動電話機等に於いて、キー操作無効モードの設定／解除のような余分な操作を必要とせず、確実に誤動作を防止できるようにする。【解決手段】携帯型電子装置のケース体の表面又は表面近傍の少なくとも一部に面状に設けられた静電容量式センサ３０と、該静電容量式センサ３０が検出する静電容量変化が所定面積範囲内で生じた変化か否かを調べる手段と、所定面積範囲内で生じた静電容量変化である場合は当該静電容量変化の検出部位に対応する操作入力信号を生成し且つ所定面積範囲を外れて生じた静電容量変化である場合は当該静電容量変化の検出部位に対応する操作入力信号を生成しない入力信号生成手段とを有する、携帯型電子装置。【選択図】　　　図１
2004126752.tif 000002
【特許請求の範囲】
【請求項１】
操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段が検出するインピーダンス変化が所定面積範囲内で生じた変化か否かを調べる面積検査手段と、
前記面積検査手段が所定面積範囲内で生じた変化であると判定した場合は操作入力信号を生成し、所定面積範囲を外れて生じた変化であると判定した場合は操作入力信号を生成しない、入力信号生成手段と、
を有することを特徴とする携帯型電子装置。
【請求項２】
請求項１に於いて、
複数のキーを有するキーパッドを更に有し、
前記インピーダンス感知手段は、前記キーパッドの下方に設けられた静電容量感知手段である、
ことを特徴とする携帯型電子装置。
【請求項３】
請求項２に於いて、
前記入力信号生成手段が操作入力信号を生成している場合にのみ前記キーパッドからのキー入力を有効とするキー入力処理手段を更に有する、
ことを特徴とする携帯型電子装置。
【請求項４】
請求項１に於いて、更に、
複数のキーを有するキーパッドと、
前記入力信号生成手段が生成する操作入力信号が前記インピーダンス感知手段の所定部位で生じたインピーダンス変化に基づく場合にのみ前記キーパッドからのキー入力を有効とするキー入力処理手段と、
を有することを特徴とする携帯型電子装置。
【請求項５】
請求項４に於いて、
前記インピーダンス感知手段は、前記キーパッドが設けられているケース体の上面部ではなく側面部に設けられている、
ことを特徴とする携帯型電子装置。
【請求項６】
請求項４又は請求項５に於いて、
前記所定部位を前記インピーダンス感知手段の１又は２以上の所望の部位に設定するための操作入力手段を更に有する、
ことを特徴とする携帯型電子装置。
【請求項７】
請求項４又は請求項５に於いて、
前記所定部位を前記インピーダンス感知手段の複数の候補部位の中から１又は２以上の部位を選択して設定するための操作入力手段を更に有する、
ことを特徴とする携帯型電子装置。
【請求項８】
操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段が検出するインピーダンス変化が所定面積範囲内で生じた変化か否かを調べる面積検査手段と、
前記面積検査手段が所定面積範囲内で生じた変化であると判定した場合は当該インピーダンス変化の検出部位に対応する操作入力信号を生成し、所定面積範囲を外れて生じた変化であると判定した場合は操作入力信号を生成しない、入力信号生成手段と、
を有することを特徴とする携帯型電子装置。
【請求項９】
請求項８に於いて、
複数のキートップ文字が描かれているキーマットを更に有し、
前記インピーダンス感知手段は前記キーマットの下方に設けられており、
前記キートップ文字が描かれている各部位に対応して生成される操作入力信号は各々当該部位のキートップ文字を指す信号である、
ことを特徴とする携帯型電子装置。
【請求項１０】
請求項８に於いて、
前記インピーダンス感知手段には複数のキートップ文字が描かれており、該キートップ文字が描かれている各部位に対応して生成される操作入力信号は各々当該部位のキートップ文字を指す信号である、
ことを特徴とする携帯型電子装置。
【請求項１１】
請求項１、請求項４〜請求項１０の何れかに於いて、
前記インピーダンス感知手段は、静電容量感知手段である、
ことを特徴とする携帯型電子装置。
【請求項１２】
請求項１〜請求項１１の何れかに於いて、
前記携帯型電子装置は移動電話機である、
ことを特徴とする携帯型電子装置。
【請求項１３】
請求項１〜請求項１１の何れかに於いて、
前記携帯型電子装置は携帯情報端末である、
ことを特徴とする携帯型電子装置。
【請求項１４】
請求項１〜請求項１１の何れかに於いて、
前記携帯型電子装置はノートパソコンである、
ことを特徴とする携帯型電子装置。
【発明の詳細な説明】
【０００１】
【発明の属する技術分野】
本発明は、移動電話機，携帯情報端末（ＰＤＡ），ノートパソコン等の携帯型の電子装置（以下「移動電話機等」）に関する。詳しくは、鞄やポケット等に入れて持ち歩く際等にキーが人体や物体等に触れることで誤動作してしまうことを防止する誤動作防止機能を備えた移動電話機等に関する。
【０００２】
【従来の技術】
上記の誤動作を防止するための従来の機構もしくは機能としては、例えば、下記の（１）〜（３）が知られている。
（１）所定のキー操作に応じて、キー操作無効モードを設定し、又は、解除する機能。例えば、キー操作有効モードに於いて特定のキーを５秒間押し続けるとキー操作無効モードに切り換え、一方、キー操作無効モードに於いて上記特定のキーを５秒間押し続けるとキー操作有効モードに復帰する機能である。
（２）折り畳み型の移動電話機。折り畳むことで全てのキーをケース体内に収納するようにした機構である。上記（１）と比較すると、キー操作無効モードの設定／解除のための操作が不要であるという利点がある。
（３）一部のキーが折り畳み時にも露出される折り畳み型の移動電話機。常時露出されるキーに関して、キー操作無効モードの設定／解除を、前記（１）と同様に可能とした移動電話機である。
【０００３】
下面側に静電容量感知プレートを設けたキーマットを用いてキーパッドを構成することにより、従来と同様のキー入力機能を持ち、さらに、タッチパッドとしての入力機能をも併せ持たせたユーザインターフェース装置（移動電話機等のユーザインターフェース装置）が開示されている（特許文献１参照）。
【０００４】
【特許文献１】
特開２００２−１９６８５６。
【０００５】
【発明が解決しようとする課題】
前記（１）や（３）の機能では、キー操作無効モードを設定／解除するための操作が余分に必要となるため、設定操作を忘れたために誤動作が生じたり、解除操作をしないまま通常の入力操作を試みてしまう等の不具合がある。
前記（２）の機構は、非折り畳み型の装置には適用できない。また、折り畳み型の装置であっても、折り畳まないままで取り扱うような場合には、誤動作防止機能を発揮できないという不具合がある。
【０００６】
本発明は、移動電話機等に於いて、キー操作無効モードの設定／解除のような余分な操作を必要とせず、また、折り畳み型／非折り畳み型にかかわりなく、確実に誤動作を防止できるようにすることを目的とする。
【０００７】
【課題を解決するための手段】
本発明の構成を、下記［１］〜［１０］に示す。
［１］　操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段が検出するインピーダンス変化が所定面積範囲内で生じた変化か否かを調べる面積検査手段と、
前記面積検査手段が所定面積範囲内で生じた変化であると判定した場合は操作入力信号を生成し、所定面積範囲を外れて生じた変化であると判定した場合は操作入力信号を生成しない、入力信号生成手段と、
を有することを特徴とする携帯型電子装置。
【０００８】
インピーダンス感知手段としては、例えば、静電容量感知手段を挙げることができるが、［１］と［４］〜［１０］の構成、及びこれらを引用する場合の［１２］〜［１４］の構成では、静電容量感知手段に限定されない。抵抗変化を感知する手段等の公知のインピーダンス感知手段を適宜に用いてもよい。静電容量感知手段の一具体例については、実施の形態の項にて詳述する。
インピーダンス感知手段は、携帯型電子装置のケース体の表面又は表面近傍の全部又は一部に面状に設けられる。面状とは、平面形状ばかりでなく、ケース体の表面に沿う等の曲面形状をも含む。インピーダンス感知手段は、プレート状でもよく、可撓性を有するフィルム状でもよい。
所定面積範囲とは、例えば、人の指先程度の面積範囲である。所定面積範囲を人の指先程度の面積範囲とすると、人の指先が接触した場合に入力信号生成手段が操作入力信号を生成するように構成できる。なお、インピーダンス感知手段が静電容量感知手段である場合には、１ｍｍ程度まで接近した状態でも、接触した場合と同様の変化が検出される。以下、この場合も含めて「接触」という。
所定面積範囲を具体的にどの程度の面積に設定するかは、例えば、入力信号生成手段が生成する操作入力信号の機能に応じて決めることとする。操作入力信号がキー入力の有効／無効を制御する機能を奏する場合に於ける上記所定面積範囲については、後述の［３］以降の項で述べる。
【０００９】
［２］　前記［１］の構成に於いて、
複数のキーを有するキーパッドを更に有し、
前記インピーダンス感知手段は、前記キーパッドの下方に設けられた静電容量感知手段である、
ことを特徴とする携帯型電子装置。
複数のキーは、例えば、携帯型電子装置が移動電話機の場合は、テンキーと少数の機能キーである。インピーダンス感知手段をキーパッドの下方のみに設けてもよく、キーパッドより広く設けてもよい。
インピーダンス感知手段３１（３２）がキーパッド２１（２２）の下方に設けられている例を、図４（ａ）に示す。
【００１０】
［３］　前記［２］の構成に於いて、
前記入力信号生成手段が操作入力信号を生成している場合にのみ前記キーパッドからのキー入力を有効とするキー入力処理手段を更に有する、
ことを特徴とする携帯型電子装置。
前記所定面積範囲を人の指先程度の面積範囲とした場合を考える。
指先でキーを押した場合には、前記入力信号生成手段は操作入力信号を生成する。したがって、この場合は、キー入力は有効とされる。
一方、ポケットに入れて運ぶ等していてキーが誤って押されてしまった場合には、前記インピーダンス感知手段が変化を検出する面積は一般に人の指先よりも広いため、前記入力信号生成手段は操作入力信号を生成しない。したがって、この場合にはキー入力は無効とされる。即ち、誤動作が防止される。
【００１１】
［４］　前記［１］の構成に於いて、更に、
複数のキーを有するキーパッドと、
前記入力信号生成手段が生成する操作入力信号が前記インピーダンス感知手段の所定部位で生じたインピーダンス変化に基づく場合にのみ前記キーパッドからのキー入力を有効とするキー入力処理手段と、
を有することを特徴とする携帯型電子装置。
例えば、移動電話機の場合について説明する。
移動電話機には、人が通常の持ち方で持った場合に人指し指・中指・薬指・小指が接触する部位全域に予めインピーダンス感知手段を設けておく。該移動電話機をユーザが購入した時、例えば、該ユーザの小指と中指が接触する各部位を前記所定部位と決めて設定する。すると、当該ユーザは、小指と中指が接触し、且つ、人指し指と薬指が接触しないように持つことにより、キー入力を有効化することができる。即ち、ダイヤル操作等を行うことができる。一方、上記の如く設定した所定部位に関する知識を欠く他人は、当該移動電話機を通常の持ち方で持ってしまうため、キー入力を有効化することができず、したがって、当該電話機を不正に使用することもできない。
前記所定部位の数が増えると、当然ながら、前記所定面積範囲も広い面積の範囲となる。例えば、小指と中指の接触部位を前記所定部位とした場合は、前記所定面積範囲は、指先２本分程度の面積の範囲となる。
【００１２】
［５］　前記［４］の構成に於いて、
前記インピーダンス感知手段は、前記キーパッドが設けられているケース体の上面部ではなく側面部に設けられている、
ことを特徴とする携帯型電子装置。
インピーダンス感知手段３１（３２）が、キーパッド２１（２２）が設けられているケース体の上面部ではなく側面部に設けられている例を、図４（ｂ）に示す。
【００１３】
［６］　前記［４］又は［５］の構成に於いて、
前記所定部位を前記インピーダンス感知手段の１又は２以上の所望の部位に設定するための操作入力手段を更に有する、
ことを特徴とする携帯型電子装置。
例えば、従前に設定されていた所定部位（＝ユーザのみに既知の所定部位）を押しながら所定のキー操作を行うことにより、上記設定を行うためのモードに入るようにした装置である。パスワード変更機能と類似の機能である。
【００１４】
［７］　前記［４］又は［５］の構成に於いて、
前記所定部位を前記インピーダンス感知手段の複数の候補部位の中から１又は２以上の部位を選択して設定するための操作入力手段を更に有する、
ことを特徴とする携帯型電子装置。
前記［６］に記載の機能に於いて、設定操作を容易化したものである。
【００１５】
［８］　操作入力信号に応じて動作する携帯型電子装置であって、
前記携帯型電子装置のケース体の表面又は表面近傍の少なくとも一部に面状に設けられたインピーダンス感知手段と、
前記インピーダンス感知手段が検出するインピーダンス変化が所定面積範囲内で生じた変化か否かを調べる面積検査手段と、
前記面積検査手段が所定面積範囲内で生じた変化であると判定した場合は当該インピーダンス変化の検出部位に対応する操作入力信号を生成し、所定面積範囲を外れて生じた変化であると判定した場合は操作入力信号を生成しない、入力信号生成手段と、
を有することを特徴とする携帯型電子装置。
インピーダンス感知手段の各部位にキートップに刻印されているような意味を持たせて、インピーダンス変化の検出部位（１又は２以上の検出部位）に応じて定まる意味を入力するようにした構成である。
【００１６】
［９］　前記［８］の構成に於いて、
複数のキートップ文字が描かれているキーマットを更に有し、
前記インピーダンス感知手段は前記キーマットの下方に設けられており、
前記キートップ文字が描かれている各部位に対応して生成される操作入力信号は各々当該部位のキートップ文字を指す信号である、
ことを特徴とする携帯型電子装置。
［１０］　前記［８］の構成に於いて、
前記インピーダンス感知手段には複数のキートップ文字が描かれており、該キートップ文字が描かれている各部位に対応して生成される操作入力信号は各々当該部位のキートップ文字を指す信号である、
ことを特徴とする携帯型電子装置。
前記［８］の構成では、キーマットとインピーダンス感知手段が別部材であるが、この［９］の構成では同一部材であり、インピーダンス感知手段にキートップ文字が描かれている。
【００１７】
［１１］　前記［１］、［４］〜［１０］の何れかの構成に於いて、
前記インピーダンス感知手段は、静電容量感知手段である、
ことを特徴とする携帯型電子装置。
［１２］　前記［１］〜［１１］の何れかの構成に於いて、
前記携帯型電子装置は移動電話機である、
ことを特徴とする携帯型電子装置。
［１３］　前記［１］〜［１１］の何れかの構成に於いて、
前記携帯型電子装置は携帯情報端末（ＰＤＡ）である、
ことを特徴とする携帯型電子装置。
［１４］　前記［１］〜［１１］の何れかの構成に於いて、
前記携帯型電子装置はノートパソコンである、
ことを特徴とする携帯型電子装置。
【００１８】
【発明の実施の形態】
以下、図面を参照して、本発明の携帯型電子装置を、移動電話機として具体化した実施の形態を説明する。
［Ａ］第１の実施の形態（図１〜図７）：
図１は第１の実施の形態の移動電話機の構成を示すブロック図である。図２は第１及び第２の実施の形態の移動電話機の外観図（ａ）と、外観図（ａ）内のＢ−Ｂ線部分の主要構成の模式的断面図（ｂ）である。図２内で括弧で示す符号を付記した部材は第１と第２の実施の形態で異なる部材であり、括弧で示す符号が第２の実施の形態の場合である。図３は第１の実施の形態の場合の図２（ｂ）を分解して示す模式的斜視図である。図４はインピーダンス感知手段（静電容量センサ）とキーパッドの位置関係を示し、（ａ）はキーパッド２１の下方にインピーダンス感知手段（静電容量センサ３１，３２）を設けた例、（ｂ）はキーパッド２１，２２とは別の部位にインピーダンス感知手段（静電容量センサ３１，３２）を設けた例を示す。図５〜図７はインピーダンス感知手段（静電容量センサ）による検出結果に応じて操作入力信号を生成等する処理手順を示すフローチャートである。
【００１９】
図２（ａ）及び図４（ａ）（ｂ）に例示する移動電話機は、液晶ディスプレイ６０、キーパッド２０の構成要素であるキーマット２１上に設けられたテンキーやファンクションキー２１ａ，２１ｂ，，，等のキー群、音声入力装置（マイクロフォン）７２、音声出力装置（受話口）７１、アンテナ５０、等の各種の部材を有し、これらが、ケース内又はケース外に一体に組付けられている。また、不図示のバッテリーが、着脱自在に設けられている。なお、図４（ｂ）では液晶ディスプレイやテンキー等の図示を省略する等、適宜、部材の図示を省略しているが、これは、例えば、図４（ｂ）がキーパッドとインピーダンス感知手段（静電容量センサ）との位置関係の説明を企図する図であるためである。
【００２０】
キーパッド２０は、図２（ｂ）及び図３に示すように、キーマット２１と可撓性基板２２とを有し、該キーマット２１と該可撓性基板２２との間に、インピーダンス感知手段の具体例である静電容量センサ３０（３１，３２）が挟み込まれて、接着層１１，１３により接着されている。なお、図２（ｂ）や図３に示す構成は、図４（ａ）の如くキーパッドの下に静電容量センサを設ける場合の一構成を例示するものであり、キーパッドが無い構成や、キーパッドとは別の部位に静電容量センサを設ける構成では、図２（ｂ）や図３に示す構成とは異なる構成を採用する。また、図４（ａ）の如くキーパッドの下に静電容量センサを設ける場合であっても、必ずしも図２（ｂ）や図３のように構成する必要は無く、キーパッドの下に静電容量センサを位置させ得る構成であれば、適宜に採用してよいことは勿論である。また、キーマット２１と可撓性基板２２との間に静電容量センサを挟み込む場合についても、接着層１１，１３を必ずしも介在させる必要はなく、キーマット２１と可撓性基板２２との間に静電容量センサを挟み込み得る構成を、適宜に採用してよいことは勿論である。
【００２１】
キーマット２１の上面には、図３に示すように、テンキー２１ａ，２１ｂ，，，やファンクションキー等のキー群が設けられており、これらのキー群に対応付けて、可撓性基板上にそれぞれ金属コンタクト２２ａ，２２ｂ，，，が設けられている。ユーザが所望のキーを押圧すると、該キーに加えた押圧力が静電容量センサ３０（３１，３２）を介して直下位置の金属コンタクトに伝わり、これにより、当該金属コンタクトが、電気信号をキーパッドインターフェース回路２０１へ出力する。即ち、キーの押圧が検出される。
キー押下時のクリック感（金属ノック感）を出すために、テンキー２１ａ，２１ｂ等の各キーの下部中央部分に突起を設けるとともに、中間に位置する静電容量センサ３１，３２等の対応部位に穴をあけておき、上記突起を金属コンタクト２２ａ，２２ｂ等まで貫通させるように構成してもよい。
【００２２】
静電容量センサ３０は、第１プレート３１と第２プレート３２から成り、接着層１２により接着されて一体化されている。両プレート３１，３２にはそれぞれストライプ状の電極（例：ＩＴＯ電極）が形成されており、このストライプ状の電極が直交方向を成すように（＝グリッド状を成すように）、第１プレート３１と第２プレート３２が設けられる。指先等の人体の部位が接触（又は近接）すると、該接触（又は近接）部位付近の第１プレート３１の電極と、第２プレート３２の電極との間の静電容量が変化し、これが、静電容量インターフェース３０１へ出力される。即ち、静電容量の変化が検出される。なお、かかる構成は静電容量センサの一例を示すものであり、上記以外の他の構成の静電容量センサであっても、適宜に採用してよいことは勿論である。
【００２３】
本移動電話機の回路は、図１に示すように、音声入力装置７２から入力される電気信号（音声信号）を符号化して無線インターフェース回路８２へ与えるとともに、無線インターフェース回路８２から与えられるデータ（音声データ等；音声データ以外のデータについては説明を省略する）を復号して電気信号（音声信号）として音声出力装置７１へ出力することにより音声を出力させるコーデック回路８１と、コーデック回路８１から与えられるデータを電気信号に変換してアンテナ５０から出力するとともに、アンテナ５０にて受信された電気信号をデータ（音声データ等；音声データ以外のデータについては説明を省略する）に変換してコーデック回路８１へ出力する無線インターフェース回路８２と、コーデック回路８１や無線インターフェース回路８２の動作を制御等するコントローラ８３と、コントローラ８３が必要に応じて使用するメモリ８４を有する。コーデック回路８１、無線インターフェース回路８２、コントローラ８３、メモリ８４により、従来公知の移動電話機回路８０が構成される。
【００２４】
コントローラ８３には、上記コーデック回路８１や無線インターフェース回路８２以外に、キーパッド２０のキー２１ａ，２１ｂ，，，の押圧によって生成された電気信号（押圧検出信号）が、キーパッドインターフェース回路２０１でデータ（押圧検出データ）に変換されて、入力される。また、コントローラ８３には、人体の接触（又は近接）に応じて静電容量センサ３０にて検出された静電容量の変化が、静電容量センサインターフェース回路３０１でデータに変換されて入力される。
以下、これらの入力の処理を、フローチャートを参照して説明する。
【００２５】
（１）図５のフローチャート：
静電容量センサ３０からのデータを取り入れるタイミングになると（Ｓ０１でＹＥＳ）、該静電容量センサ３０からの検出データを取り込み（Ｓ０２）、静電容量センサ３０で検出された面積（人体等の接触もしくは近接により静電容量の変化が検出された面積）が、所定範囲（図示の例では所定値ａ以上で、且つ、所定値ｂ以下）内に入るか否かチェックする（Ｓ０３）。
【００２６】
その結果、所定範囲内に入る場合は（Ｓ０３でＹＥＳ）、操作入力信号を生成する（Ｓ０５）。一方、所定範囲を外れている場合は（Ｓ０３でＮＯ）、操作入力信号を生成しない（Ｓ０７）。なお、本明細書中で「操作入力信号」とは、静電容量センサ３０での検出に対応する操作入力信号の意味であり、キーの押圧に対応する信号は含まない。
【００２７】
次に、操作入力信号が生成されているか否かチェックし（Ｓ１１）、生成されている場合は（Ｓ１１でＹＥＳ）、該操作入力信号に応じた処理を実行する（Ｓ２１）。このステップＳ２１の処理（操作入力信号に応じた処理）は、予め決めてあるものとする。この処理としては、例えば、キー入力を有効／無効にする処理（図６，図７参照）や、静電容量変化の検出部位（検出した領域内の例えば重心位置）を、液晶ディスプレイ６０上にポインタで示したり、又は軌跡の構成要素（座標）として蓄積（プロット）等したりする処理（図１０参照）を挙げることができる。
【００２８】
上記のように処理が行われる結果、ユーザは、静電容量センサ３０が設けられている領域内の何れかの部位に、指先等のような所定面積で接触している場合にのみ、有効に入力を行うことができる。換言すれば、移動電話機をポケット等に入れている時等には、静電容量センサ３０の大部分が衣服等との接触状態となるのであるが、その場合には、静電容量センサ３０による検出面積が前記ｂを越えてしまうため操作入力信号は生成されず、したがって、操作入力信号に応じて実行されるべき処理（Ｓ２１）も行われない。即ち、誤動作が防止される。
【００２９】
（２）図６のフローチャート：
ステップＳ０１〜Ｓ１１は、前記図５と同じである。なお、閾値ａ，ｂは、図５の場合と同じでも良く、異なっていてもよい。
図６では、操作入力信号が生成されている場合に（Ｓ１１でＹＥＳ）、キー入力を有効にする（Ｓ３１）。また、操作入力信号が生成されていない場合は（Ｓ１１でＮＯ）、キー入力を無効にする（Ｓ３３）。
【００３０】
したがって、ユーザは、静電容量センサ３０が設けられている領域内の何れかの部位に、指先等のような所定面積で接触している場合にのみ、有効にキー入力を行うことができる。例えば、キーパッド２０の下方に静電容量センサ３０を配した構成では、キーを指先等（所定面積）で押圧した場合には当該キー入力は有効とされるのであるが、ポケットに入れている時等にいくつかのキーが誤って押されてしまったような場合には、静電容量センサ３０による検出面積が前記ｂを越えてしまうため操作入力信号は生成されず、したがって、当該キー入力も無効とされる。即ち、誤動作が防止される。
【００３１】
（３）図７のフローチャート：
ステップＳ０１〜Ｓ１１、及び、ステップＳ３１〜Ｓ３３は、前記図６と同じである。なお、閾値ａ，ｂは、図５或いは図６の場合と同じでも良く、異なっていてもよい。
図７では、操作入力信号が生成されており（Ｓ１１でＹＥＳ）、且つ、該操作入力信号が静電容量式センサ３０の所定部位での静電容量変化の検出に基づくものである場合に（Ｓ１３でＹＥＳ）、キー入力を有効にする（Ｓ３１）。
操作入力信号が生成されていない場合や（Ｓ１１でＮＯ）、操作入力信号が生成されている場合でも（Ｓ１１でＹＥＳ）、該操作入力信号が所定部位での静電容量変化の検出に基づくものでない場合には（Ｓ１３でＮＯ）、キー入力を無効にする（Ｓ３３）。
【００３２】
図７のフローチャートは、静電容量センサ３０が設けられている領域内の特定の部位に、指先等のような所定面積で接触している場合にのみ、有効にキー入力を行い得るようにしたものである。例えば、ユーザの小指と中指が接触する部位を上記特定の部位（前記所定部位）として予め設定しておくことにより、該ユーザの小指と中指が静電容量センサ３０に接触しており、且つ、親指と人指し指と薬指が静電容量センサ３０から離れている場合にのみキー入力が有効となるようにしたものである。
【００３３】
上記特定の部位（＝前記所定部位）は、工場出荷時前に移動電話機毎に決めておいてもよいが、ユーザが購入時に適宜に決めるようにしてもよい。また、その場合、１又は２以上の任意の部位を上記特定の部位として決めるように構成してもよく、いくつかの候補部位の中から１又は２以上の所望の部位を選択するように構成してもよい。所望の部位を特定の部位として決めたり、複数の候補の中から所望の部位を選択する処理は公知であるため、説明は省略する。
【００３４】
［Ｂ］第２の実施の形態（図２，図８〜図１０）：
第１の実施の形態の移動電話機はキーを備えたキーパッドと静電容量センサとを有する構成であったが、第２の実施の形態の移動電話機はキーを備えたキーパッドを持たず、代わりに、キートップと同様の文字が描かれたキーマットを有する。以下、第１の実施の形態と異なる構成を説明し、第１の実施の形態と同じ構成については図内に同じ符号を付して示し、説明は省略する。
【００３５】
図８は第２の実施の形態の移動電話機の構成を示すブロック図である。図２は第１及び第２の実施の形態の移動電話機の外観図（ａ）と、外観図（ａ）内のＢ−Ｂ線部分の主要構成の模式的断面図（ｂ）である。図２内で括弧で示す符号を付記した部材は第１と第２の実施の形態で異なる部材であり、括弧で示す符号が第２の実施の形態の場合である。図９は第２の実施の形態の場合の図２（ｂ）を分解して示す模式的斜視図である。図１０はインピーダンス感知手段（静電容量センサ）による検出結果に応じて操作入力信号を生成等する処理手順を示すフローチャートである。
【００３６】
図９に示すように、第２の実施の形態の移動電話機にはキーを備えたキーパッドが無く、キーパッドに代えて、キートップ文字２１０ａ，２１０ｂ，，，等が描かれたキーマット２１０が設けられている。また、キーを持たないため、当然ながら、可撓性基板２２０上にも金属コンタクトは無く、したがって、可撓性基板２２０から電気信号を取り出すための回路も無い（図８参照）。
【００３７】
図１０のフローチャートを参照して説明する。
ステップＳ０１〜Ｓ１１は、第１の実施の形態の図５のフローチャートと同じである。なお、閾値ａ，ｂは、図５〜図７の何れかの場合と同じでも良く、何れとも異なっていてもよい。
【００３８】
図１０では、操作入力信号が生成されている場合には（Ｓ１１でＹＥＳ）、該操作入力信号が生成されるに至ったセンサ検出信号の検出部位応じて決まる処理が行われる。
【００３９】
例えば、「５」というキートップ文字が描かれている部位でセンサが人体の接触を検出していた場合には、「５」という数値入力が行われたものとして処理される。また、「Ｆ」というキートップ文字が描かれている部位と「５」というキートップ文字が描かれている部位とで同時にセンサが人体の接触を検出していた場合には、「Ｆ」という機能入力の下で「５」という数値入力が行われたものとして処理される。なお、後者のように処理を行い得るようにするためには、閾値ａ，ｂを、そのように定める必要がある。
【００４０】
一方、キートップ文字が描かれていない領域でセンサが人体の接触を検出していた場合のステップＳ４１の処理としては、例えば、静電容量変化の検出部位（検出した領域内の例えば重心位置）を、液晶ディスプレイ６０上にポインタで示したり、又は軌跡の構成要素（座標）として蓄積（プロット）等したりする処理を挙げることができる。
【００４１】
上記のように処理が行われる結果、ユーザは、静電容量センサ３０が設けられている領域内の何れかの部位に、指先等のような所定面積で接触している場合にのみ、有効に入力を行うことができる。換言すれば、移動電話機をポケット等に入れている時等には、静電容量センサ３０の大部分が衣服等との接触状態となるのであるが、その場合には、静電容量センサ３０による検出面積が前記ｂを越えてしまうため操作入力信号は生成されず、したがって、操作入力信号に応じて実行されるべき処理（Ｓ４１）も行われない。即ち、誤動作が防止される。
【００４２】
上述の第１と第２の実施の形態は、何れも、本発明を移動電話機として具体化した例であるが、本発明は移動電話機に限定されず、例えば、携帯情報端末（ＰＤＡ）や、ノートパソコン等の携帯型電子装置についても、上記と同様に適用することができる。
【００４３】
【発明の効果】
操作入力信号に応じて動作する前記［１］の携帯型電子装置は、該携帯型電子装置のケース体の表面又は表面近傍の少なくとも一部に面状に設けられたインピーダンス感知手段と、該インピーダンス感知手段が検出するインピーダンス変化が所定面積範囲内で生じた変化か否かを調べる手段と、所定面積範囲内で生じたインピーダンス変化である場合は操作入力信号を生成し且つ所定面積範囲を外れて生じたインピーダンス変化である場合は操作入力信号を生成しない入力信号生成手段とを有するため、所定面積範囲での接触が生じた場合にのみ操作入力信号を生成して動作する。このため、所定面積範囲を、例えば、指先の面積程度と設定しておくことにより、該面積を越えるような接触（例：ポケット内での大面積接触）の場合に誤動作してしまうことを防止できる。
【００４４】
前記［１］の構成に於いて、複数のキーを有するキーパッドを更に有し、前記インピーダンス感知手段は前記キーパッドの下方に設けられた静電容量感知手段であり、前記入力信号生成手段が操作入力信号を生成している場合にのみ前記キーパッドからのキー入力を有効とする手段を更に有する前記［３］の構成の携帯型電子装置は、例えば、前記所定面積範囲を人の指先程度の面積範囲とした場合を考えると、指先でキーを押した場合には前記入力信号生成手段が操作入力信号を生成するためキー入力が有効とされるのに対して、ポケットに入れて運ぶ等していてキーが誤って押されてしまった場合には一般に人の指先よりも広い面積で変化が検出されるため前記入力信号生成手段は操作入力信号を生成しない。したがってキー入力は無効とされる。即ち、キーが誤って押されてしまった場合の誤動作を防止できる。
【００４５】
前記［１］の構成に於いて、更に、複数のキーを有するキーパッドと、前記入力信号生成手段が生成する操作入力信号が前記インピーダンス感知手段の所定部位で生じたインピーダンス変化に基づく場合にのみ前記キーパッドからのキー入力を有効とするキー入力処理手段とを有する前記［４］の構成の携帯型電子装置は、例えば、移動電話機の場合について説明すると、移動電話機に人が通常の持ち方で持った場合に人指し指・中指・薬指・小指が接触する部位全域に予めインピーダンス感知手段を設けておき、該移動電話機をユーザが購入した時に例えば該ユーザの小指と中指が接触する各部位を前記所定部位として設定すると、当該ユーザは小指と中指が接触し且つ人指し指と薬指が接触しないように持つことによりキー入力を有効化することができるのに対して、上記所定部位に関する知識を欠く他人は当該移動電話機を通常の持ち方で持ってしまうためキー入力を有効化することができないため、不正使用を防止できる効果があることがわかる。
【００４６】
操作入力信号に応じて動作する前記［８］の携帯型電子装置は、該携帯型電子装置のケース体の表面又は表面近傍の少なくとも一部に面状に設けられたインピーダンス感知手段と、該インピーダンス感知手段が検出するインピーダンス変化が所定面積範囲内で生じた変化か否かを調べる面積検査手段と、該面積検査手段が所定面積範囲内で生じた変化であると判定した場合は当該インピーダンス変化の検出部位に対応する操作入力信号を生成し且つ所定面積範囲を外れて生じた変化であると判定した場合は操作入力信号を生成しない入力信号生成手段とを有するため、所定面積範囲での接触が生じた場合にのみ当該検出部位に対応する操作入力信号を生成して動作する。このため、検出部位に応じて決まる処理を行い得るとともに、所定面積範囲を、例えば、指先の面積程度と設定しておくことにより、該面積を越えるような接触（例：ポケット内での大面積接触）の場合に誤動作してしまうことを防止できる。
【図面の簡単な説明】
【図１】実施の形態の移動電話機の構成を示すブロック図。
【図２】第１及び第２の実施の形態の移動電話機の外観図（ａ）と、外観図（ａ）内のＢ−Ｂ一点鎖線部の主要構成部分の模式的断面図（ｂ）。
【図３】第１の実施の形態の場合の図２（ｂ）を分解して示す模式的斜視図。
【図４】静電容量センサ３０（３１，３２）とキーパッド２０（２１，２２）の位置関係を示し、（ａ）はキーパッド２０（２１，２２）の下方位置に静電容量センサ３０（３１，３２）を設けた例、（ｂ）はキーパッド２０（２１，２２）と別の部位に静電容量センサ３０（３１，３２）を設けた例を示す。
【図５】静電容量センサ３０（３１，３２）による検出結果に応じて操作入力信号を生成等する処理手順を例示するフローチャート。
【図６】静電容量センサ３０（３１，３２）による検出結果に応じて操作入力信号を生成等する図５と異なる処理手順を例示するフローチャート。
【図７】静電容量センサ３０（３１，３２）による検出結果に応じて操作入力信号を生成等する図５及び図６と異なる処理手順を例示するフローチャート。
【図８】第２の実施の形態の移動電話機の構成を示すブロック図。
【図９】第２の実施の形態の場合の図２（ｂ）を分解して示す模式的斜視図。
【図１０】静電容量センサ３０（３１，３２）による検出結果に応じて操作入力信号を生成等する処理手順を示すフローチャート。
【符号の説明】
２０　キーパッド
２１　キーパッドのキーマット
２２　キーパッドの可撓性基板
２１ａ，２１ｂ　キー
２２ａ，２２ｂ　金属コンタクト
３０　静電容量センサ（インピーダンス感知手段）
３１　静電容量センサの第１プレート
３２　静電容量センサの第２プレート
１１，１２，１３　接着層
【図１】
2004126752.tif 000003
【図２】
2004126752.tif 000004
【図３】
2004126752.tif 000005
【図４】
2004126752.tif 000006
【図５】
2004126752.tif 000007
【図６】
2004126752.tif 000008
【図７】
2004126752.tif 000009
【図８】
2004126752.tif 000010
【図９】
2004126752.tif 000011
【図１０】
2004126752.tif 000012